(57)【要約】      （修正有）【課題】さまざまな海面、海中の状況変化を水中ウキの構造、浮力の調整によって容易に対応でき、かつ、構造が簡単で安価な水中ウキを提供する。【解決手段】水中ウキは、断面が円形の上部筒１と、断面が円形で、かつ、内径が上部筒１の外径より大きい下部筒２とからなり、上部筒１の一方の先端部に、下部筒２を塞ぐ形状で、かつ、釣糸５の通る穴を設けた樹脂製のゴム３を接続し、上部筒１のゴム３側を下部筒２に挿入した状況で、上部筒１内、穴、下部筒２内に釣糸５の通ることを特徴とし、さらに、穴を棒状４又は球状（図示せず）のものを用いて、塞ぐことを特徴とする水中ウキＡである。【選択図】図１
2018088920.tif 000002
【特許請求の範囲】
【請求項１】
断面が円形の上部筒と、断面が円形で、かつ、内径が当該上部筒の外径より大きい下部筒とからなり、当該上部筒の一方の先端部に、当該下部筒を塞ぐ形状で、かつ、釣糸の通る穴を設けた樹脂製のゴムを接続し、当該上部筒の当該ゴム側を当該下部筒に挿入した状況で、当該上部筒内、当該穴、当該下部筒内に釣糸の通ることが特徴である水中ウキ。
【請求項２】
断面が円形の上部筒と、断面が円形で内径が当該上部筒の外径より大きく当該上部筒を挿入する開口部ではない方の開口部が釣糸より大きく、かつ  海水、淡水が流入しない直径である下部筒とからなり、当該上部筒の一方の先端部に、当該下部筒を塞ぐ形状で、かつ、釣糸の通る穴を設けた樹脂製のゴムを接続し、当該上部筒の当該ゴム側を当該下部筒に挿入した状況で、当該上部筒内、当該穴、当該下部筒内に当該釣糸の通ることが特徴である水中ウキ。
【請求項３】
棒状、板状、又は、断面が十字の形状、又は、棒状、板状、又は、断面が十字の形状の組み合わせからなる押し部材と、断面が円形で内径が当該押し部材より大きく当該押し部材を挿入する開口部ではない方の開口部が釣糸より大きく、かつ、海水、淡水が流入しない直径である下部筒とからなり、当該押し部材の一方の先端部に、当該下部筒を塞ぐ形状で、かつ、釣糸の通る穴を設けた樹脂製のゴムを接続し、当該押し部材の当該ゴム側を当該下部筒に挿入した状況で、当該穴、当該下部筒内に当該釣糸の通ることが特徴である水中ウキ。
【請求項４】
当該上部筒の側面に、１つ以上の口を設けることを特徴とする請求項２に記載の水中ウキ。
【請求項５】
当該下部筒内におもりとなる部材を充填又は設置することを特徴とする請求項２から請求項４いずれか１つに記載の水中ウキ。
【請求項６】
当該穴を棒状又は球状のものを用いて、塞ぐことを特徴とする請求項１から請求項５いずれか１つに記載の水中ウキ。
【発明の詳細な説明】
【技術分野】
【０００１】本発明は、魚釣りの仕掛けに取り付ける水中ウキに関する。
【背景技術】
【０００２】従来の水中ウキは、浮力が一定で潮流、水中の変化に容易に対応ができず、構造が複雑で高価であった。
【先行技術文献】
【特許文献】
【０００３】
【特許文献１】特開平１０−１６５０６１号  公報
【発明の概要】
【発明が解決しようとする課題】
【０００４】特許文献１に記載されている技術においては、潮流とコマセに対して、仕掛けの釣り針が考慮されておらず、浮力の調整が難しく調整に時間がかかり、大きく、重く、構造が複雑で高価である。
さらに、一個の水中ウキにおいて、飛ばし・流し・沈め・誘い・抑え・止め・読むことができる水中ウキがなかった。
【課題を解決するための手段】
【０００５】本発明の釣具は、断面が円形の上部筒と、断面が円形で、かつ、内径が上記上部筒の外径より大きい下部筒とからなり、上記上部筒の一方の先端部に、上記下部筒を塞ぐ形状で、かつ、釣糸の通る穴を設けた樹脂製のゴムを接続し、上記上部筒の上記ゴム側を上記下部筒に挿入した状況で、上記上部筒内、上記穴、上記下部筒内に釣糸の通ることを特徴とする水中ウキである。【０００６】本発明の釣具は、断面が円形の上部筒と、断面が円形で内径が上記上部筒の外径より大きく上記上部筒を挿入する開口部ではない方の開口部が釣糸より大きく、かつ  海水、淡水が流入しない直径である下部筒とからなり、上記上部筒の一方の先端部に、上記下部筒を塞ぐ形状で、かつ、釣糸の通る穴を設けた樹脂製のゴムを接続し、上記上部筒の上記ゴム側を上記下部筒に挿入した状況で、上記上部筒内、上記穴、上記下部筒内に上記釣糸の通ることが特徴である水中ウキ。【０００７】棒状、板状、又は、断面が十字の形状、又は、棒状、板状、又は、断面が十字の形状の組み合わせからなる押し部材と、断面が円形で内径が上記押し部材より大きく上記押し部材を挿入する開口部ではない方の開口部が釣糸より大きく、かつ、海水、淡水が流入しない直径である下部筒とからなり、上記押し部材の一方の先端部に、上記下部筒を塞ぐ形状で、かつ、釣糸の通る穴を設けた樹脂製のゴムを接続し、上記押し部材の上記ゴム側を上記下部筒に挿入した状況で、上記穴、上記下部筒内に上記釣糸の通ることが特徴である水中ウキ。【０００８】さらに、上記上部筒の側面に、１つ以上の口を設けることを特徴とし、上記下部筒内におもりとなる部材を充填又は設置することを特徴とし、上記穴を棒状又は球状のものを用いて、塞ぐことを特徴とする。
【発明の効果】
【０００９】本発明の水中ウキＡは、上部筒１と下部筒２をスライドさせることができ、ゴム３部分が蓋の役割をすることで、下部筒２内の空気量を調節することで浮力の調整が容易で素早く出来る。このことより潮流の変化に対応でき、コマセ籠３０から出たエサ６０と仕掛けの釣針５０を同調させることが出来る。
又、浮力の調整により水中ウキを沢山用意することも、交換する手間もはぶける。さらに、構造が簡単であるため安価に提供できる。
又、下部筒２が大きくても開口部０を塞ぎ、かつ、一方の開口部０を釣糸５より大きく、かつ、海水、淡水が流入しない大きさにすることにより、大きく、重く、浮力を有する水中ウキＡ’となる、さらに、取り付け位置として、ハリス６１の釣針５０の近くで使う小さいサイズの水中ウキＡから、釣糸５の所で使う大きいサイズの水中ウキＡ’まで対応できる。
【図面の簡単な説明】
【００１０】
【図１】本発明の水中ウキの図
【図２】釣り用仕掛けの実施例１を示す概略図
【図３】本発明の実施例２の仕掛けの水中ウキの図
【図４】（ａ）、（ｂ）、（ｃ）及び（ｄ）は、本発明の実施例２のいろいろな形状をした水中ウキの図
【図５】釣り用仕掛けの実施例２を示す概略図
【発明を実施するための形態】
【実施例１】
【００１１】以下、本発明の実施の形態を図１〜図２に基づいて説明する。
まず、本発明の水中ウキＡを使った釣り仕掛けの実施例を説明する。
図２は、コマセを放出する棚に調整したウキ１０と、ウキ１０から延びた釣糸５は、遠投のための針金状の天秤の一方の端に接続し、上記天秤２０の中間位置には、コマセ籠３０と錘４０を繋ぎ、天秤の他方の端には、サビキ釣りの釣針５０が付いた仕掛けを、水中ウキＡに付いている一方の輪６に接続する。他方の輪６にも釣針５０が付いた仕掛けを接続する。
水中ウキＡは、上部筒１を下部筒２の長手間を動かすことで浮力の調整をすることにより、水中ウキＡを浮く状態にも、沈む状態にもすることが出来又、浮きもせず、沈みもしない状態にすることができる。
水中ウキＡの浮力を調整し、潮流に流され易くし潮流に合わすことによって、水中ウキＡに接続している仕掛けの釣針５０と、コマセ籠３０から出たエサ６０が同調することとなる。【００１２】上部筒１と下部筒２は、水に沈む素材であり合成樹脂、プラスチック、アクリル等で、構成されている。
上部筒１と下部筒２の長さは、仕掛けの重さによって決まる。
上部筒１と下部筒２の断面の直径の大きさは、仕掛けの構成によって決まる。
上部筒１の内径の直径は、１ミリ以上とし、下部筒２の内径の直径を９ミリ以下とする。
上部筒１の開口部０の外径が、下部筒２の開口部０の内径に挿入できる大きさとする。【００１３】上部筒１と下部筒２は、片方のみ完全に塞がれている時に、筒内の気体が動かず開口部０から液体が入ってこない作用を利用した構造とする。
一例として、上部筒１の内径の直径を２ミリとし、下部筒２の内径の直径を４ミリとした場合、水中ウキＡを水平又は、逆さにしても開口部０から、液体は入ってこず、浮力を調整することができる水中ウキとしての役割を果たすことを確認した。【００１４】上部筒１の一方は開口していて、他方には、穴の開いた樹脂製のゴム３を開口部０に接着して内部を塞ぎ、上記作用を利用した構造とする。【００１５】下部筒２の両端は開口として、上部筒１のゴム３側を挿入することで内部を塞ぎ、上記作用を利用した構造とする。【００１６】上部筒１の内側、ゴム３の穴、下部筒２の内側には、釣糸５を通して、釣糸５の両端には仕掛けを接続するために釣糸を輪の状態にして結び輪６を作る。
輪６の間の釣糸５を、ステンレスの針金又は棒にしても良い。【００１７】ゴム３の形状は、円錐、円柱、球又は楕円球とし、円錐と円柱にはひだを設け、球は団子状にしても良い。
ゴム３の穴は、ゴム自身の密着により穴を完全に塞ぐことが出来るか、又はゴム３穴に棒状４、球状（図示せず）等の物を使い穴を完全に塞ぐことが出来ることとする。
上記によって、釣糸５を引けば穴内を動かすことができ、水中ウキＡは、輪６の間を動かすことが出来る。
又、輪６の間で水中ウキを動かすことが必要でない場合は、ゴム３の穴を接着して固定して穴も塞いでも良い。【００１８】本発明の水中ウキＡは、釣る魚種、仕掛けによって、水面で使うウキとしても良い。【００１９】下部筒２の筒の厚みを肉厚にして、水中ウキＡをシーアンカーとしても良い。【００２０】下部筒２の外径を細く、かつ、筒を長くして、仕掛けの釣針５０に魚が食った時に水中ウキＡは、魚に違和感をなくす役割も出来る。【００２１】下部筒２の筒外観又は、外周面の形状を球状、卵型、又は、なす型に加工しても良い。【００２２】水中ウキＡの外周部の回りに擬餌を装飾してルアーの釣具としても良い。【００２３】上部筒１は、下部筒２の筒内を端から端まで動かすため、上部筒１を下部筒２より少し長めにしても良い。
上部筒１には、水中で識別できるように色を付けても良いし、下部筒２には、浮力調整用の目盛りを付けても良い。【００２４】利用にあたっては、上部筒１の上部を下側に、下部筒２の下部を上側にして使用しても良い。【００２５】輪６は、その他の連結具にしても良い。【００２６】水中ウキＡは、仕掛けに対して一個だけでなく、多数個利用しても良い。
【実施例２】
【００２７】以下、実施例２として本発明の実施の形態を図３及び図５に基づいて説明する。まず、本発明の水中ウキＡ’を使った釣り仕掛けの実施例２を説明する。図５は、遊動仕掛けにしたウキ１０のフカセ釣りの仕掛けである。海面のウキ１０から延びた釣糸５は、接続具６４、水中ウキＡ’、接続具６４、ハリス６１、エサ６０の付いた釣針５０と接続する。
図３は、水中ウキＡ’の構造である。
上部筒１の先端部にある釣糸５が通るゴム３の穴８０は、棒等により塞がれていて、下部筒２の開放部０から挿入することにより、下部筒２の内側を塞ぎ下部筒２の底部の穴８０から液体が入ってこない構造となる。
また、上記により上部筒１を下部筒２の内部を摺動することで浮力の調整をすることができ、水中ウキＡ’を浮く状態にも、沈む状態にもする又、浮きもせず、沈みもしない状態にすることでエサ６０の付いた釣針５０を海面下の状況に設定できる。
図４は、図３に示す水中ウキＡ’の別の形状の例を示した図である。
（ａ）  上部筒１の側面に出入り口がある図
下部筒２の底部を平らにした図
（ｂ）  押し子９０の断面が十字の板状にした図
下部筒２の底部を円錐にした図
（ｃ）  押し子９０を丸い棒状にした図
ゴム３の穴８０に押し子９０の棒を差した図
（ｄ）  押し子９０の断面が十字の板を加工した図
上部筒１、下部筒２、ゴム３、押し子の組み合わせができる、又、（ｃ）、（ｄ）で示すように押し子９０と棒４を一体とした押し子９０としても良い。
上部筒１には、（ａ）で示すように側面に１つ以上の出入り口８５があり海水が入り易く抜け易い。又、（ｂ）、（ｃ）、及び（ｄ）、で示すように押し子９０の断面の形状が円形、又は、十字型で、押し部材の大きさは、下部筒２の開口部０から押し子９０が挿入できる大きさとし、長さは下部筒２の筒より長くするとこが好ましい。【００２８】上部筒１、下部筒２、押し子９０及び棒は、水に沈む素材であり合成樹脂、プラスチック、アクリル等で、構成されている。【００２９】上部筒１の外形の直径の大きさは、下部筒２の開口部０から上部筒１が挿入できる大きさとし、下部筒２の底部の穴８０の直径は、釣糸より大きく、かつ、海水、淡水が流入しない直径とする。また、筒の直径、筒の長さ、筒の厚みは自由に設定することが出来る。
下部筒２のおもり部７１には、部材を充填、設置することが出来、また、底部の形状を半円形、円錐等にすることもできる。【００３０】上部筒１、押し子９０の挿入する方の面には、中央に穴の開いた樹脂製のゴム３を接着・圧着・熱着等により接続して固定し、また、ゴム３の穴８０には棒状４、球状（図示せず）等により穴８０を完全に塞がれていることで、上部筒１を下部筒２の上部開放部０から挿入して下部筒２の内側を塞ぐことで、下部筒２の底部の穴８０から液体が入ってこない構造となる。
上記、樹脂製のゴム３は、天然ゴム、合成天然ゴム等適宜選択することができ限定されるものではない。【００３１】ゴム３の穴８０の大きさは、釣糸５を通した状態においてゴム３自身の密着によって塞ぐことができる、又は、棒４を使って塞ぐことの出来る大きさとする。【００３２】ゴム３の形状は、円錐、円柱、球又は楕円球とし、円錐と円柱にはひだを設け、球は団子状にしても良い。
ゴム３の大きさは、上記によって下部筒２の内側に密着し、下部筒２の内側を塞ぎ、上部筒１、又は、押し子９０を動かすことにより下部筒２の内側を摺動する。【００３３】釣糸５は、上部筒１の内側、ゴム３の穴８０、下部筒２の内側を通して、両端には接続具６４を有しても良い。【００３４】上記の状態において、ゴム３の穴８０には、釣糸５が通った状態においてゴム３自身の密着によりゴム３の穴８０を完全に塞ぐことが出来るか、又は、ゴム３の穴８０に棒状４、球状（図示せず）等を使いゴム３穴８０を完全に塞ぐことが出来る。
水中ウキＡ’は、釣糸５を摺動することができる。
水中ウキＡ’を摺動する必要がない場合は、ゴム３の穴８０とその中を通る釣糸５を接着して固定し、かつ、ゴム３の穴８０を塞いでも良い。【００３５】下部筒２のおもり部７１により、水中ウキＡ’を飛ばし・沈め・止め・抑えとして使うことが出来る。【００３６】下部筒２の浮力により水中ウキＡ’を流し・誘う・読みに対応し使うことが出来る。【００３７】水中ウキＡ’は、水面で使うウキ１０としても良い。【００３８】下部筒２の筒の外観を、円錐、球状、卵型、又は、なす型に加工しても良い。【００３９】上部筒１に、海面で識別できるように色を付けても良いし、下部筒２には、浮力調整用の目盛りを付けても良い。
【符号の説明】
【００４０】  Ａ  水中ウキ
０  開口部
１  上部筒
２  下部筒
３  ゴム
４  棒
５  釣糸
６  輪
１０  ウキ
２０  天秤
３０  コマセ籠
４０  錘
５０  釣針
６０  エサ
６１  ハリス
６２  ウキ止め
６３  シモリ
６４  接続具
７０  接続部
７１  おもり部
８０  穴
８５  出入り口
９０  押し子
【図１】
2018088920.tif 000003
【図２】
2018088920.tif 000004
【図３】
2018088920.tif 000005
【図４】
2018088920.tif 000006
【図５】
2018088920.tif 000007